(57)【特許請求の範囲】
【請求項１】
開口面を有すると共に箱状に形成されたケース内に同一方向を向いて配置された一対の固定接点と、
前記一対の固定接点と接触／離反する可動接点及び該可動接点を後方から押圧する押圧バネを有するアクチュエータと、
前記アクチュエータを駆動する回動自在な反転部材と、
前記反転部材に一端を接続され他端をプランジャーに係合するコイル状の反転ポイントを持つ反転バネと、
前記プランジャーを動かす操作部とを有し、
前記操作部を押圧／解除することにより前記可動接点を前記一対の固定接点に接触／離反させてスイッチオン／オフとするバネ反転型スイッチにおいて、
スイッチオン時に、反転ポイント前に前記アクチュエータを一定量動かして接点間隔を縮めておきその後、前記反転部材が反転することにより前記可動接点を前記一対の固定接点に接触させると共に、前記アクチュエータに備えた補助接点が前記一対の固定接点のうち一方の固定接点と連設されている摺動板部と他方の固定接点と連設されている摺動板部とを跨ぐようにして電気的に接触させ、
スイッチオフ時に、前記反転ポイント前に前記アクチュエータの動きを制止しておき、その後反転ポイント後に前記アクチュエータの制止を解除することにより前記可動接点を前記固定接点から離反すると共に、前記アクチュエータに備えた補助接点が前記一対の固定接点のうち一方の固定接点と連設されている摺動板部と他方の固定接点と連設されている摺動板部とを跨ぐようにして電気的に接触させた状態から外すこと
を特徴とするトリガースイッチ。
【請求項２】
前記反転部材に形成されたピニオンと、前記アクチュエータに形成されたラックとを備えること
を特徴とする請求項１に記載のトリガースイッチ。
【請求項３】
前記プランジャーに設けられた突起と、前記反転部材に設けられた突起とを備え、前記操作部を押圧した時前記プランジャーの突起が前記反転部材の突起を押圧して前記反転バネの力に抗して前記反転部材を回動させることにより前記アクチュエータを動かし前記可動接点を固定接点に接近させること
を特徴とする請求項１に記載のトリガースイッチ。
【請求項４】
前記プランジャーの先端部の下面に設けられたゆるやかな段差を持つ面と、該段差面と常に当接するストッパ部材と、該ストッパ部材に設けられた鉤部と、該ストッパ部材を上方に付勢するストッパバネと、前記アクチュエータに設けられた突起とを備え、前記ストッパ部材は前記プランジャーの段差面に沿って動くことにより前記ストッパ部材の鉤部と該アクチュエータの突起との係合状態を施錠状態又は開放状態に置くこと
を特徴とする請求項１に記載のトリガースイッチ。
【請求項５】
スイッチオンの時、前記ストッパ部材は上昇しており、前記アクチュエータの突起は前記ストッパ部材の鉤部の上を乗り越えて進み可動接点と固定接点とを接触させ、その時、前記鉤部と前記アクチュエータの突起との係合状態は施錠状態となること
を特徴とする請求項４に記載のトリガースイッチ。
【請求項６】
前記施錠状態において、操作部をスイッチオフの方向に動かし前記プランジャーを動かし、前記反転バネの反転ポイントを越えても前記プランジャーの先端部の下面の形状によりしばらく解放状態にならず、更に前記反転バネが反転ポイントを越えて操作部をスイッチのオフ方向に動かした時、前記プランジャーの先端部の下面によりストッパ部材は下降し前記ロック手段は解放状態となり、その結果、前記アクチュエータは即座に移動し、可動接点は固定接点から瞬時に離れスイッチオフとなること
を特徴とする請求項１に記載のトリガースイッチ。
【発明の詳細な説明】
【技術分野】
【０００１】
本発明は電動工具に搭載されているトリガースイッチに関するものであり、詳しくはＡＣ及びＤＣ大電流用に適したバネ反転型スイッチの接触機構を備えたトリガースイッチに関する。
【背景技術】
【０００２】
従来のトリガースイッチについて、図面を参照して説明する。なお、説明において図面に向かって左側をスイッチの前、右側をスイッチの後ろとする。
【０００３】
トリガースイッチ５０は、図１６に示すように、操作部５１と、２個の復帰バネ５２と、カバー５３と、プランジャー５４と、ガイド板５５と、２枚のプレート５６ａ、５６ｂと、反転バネ５７と、反転部材５８と、ストッパ部材５９と、ストッパバネ６０と、アクチュエータ６１と、２個の端子６２と、２個の固定接点６３と、４個の可動接点６４ａ、６４ｂと、２個の可動接片６５と、２個の接圧バネ６６と、２個の固定接点６７と、２個の端子６８と、ケース６９とを備えて構成されている。
【０００４】
上記各部品を図１６に示す一点鎖線で示すように組み立てると、図１７〜図２１に示すようなスイッチが形成される。以下、図１６〜図２１を参照しながら、各部品の構成及び機能並びに各部品と他の部品との関係について説明する。
【０００５】
操作部５１はトリガースイッチ５０の使用者の手によって操作される部分であり、上から押圧すればスイッチオンとなり、離せばスイッチオフとなるようになっている。
【０００６】
この操作部５１は、手の形に彎曲した上面と、この上面と一体形成された左右側面及び前面と、開放された後面及び下面とからなり、全体として中空のケース状に形成されている。操作部５１の後部の左右側面には２つの穴５１ａが設けられており、カバー５３の最後部に設けられた突起５３ａと係合しこれにより操作部５１とカバー５３とを連結する。
【０００７】
また操作部５１の左右側面には、２つの軸受穴５１ｂが設けられており、ここには後述するプランジャー５４の回転軸５４ｅが回動自在に嵌合する。また操作部５１の両側面には使用の便宜上瓢箪形の貫通孔５１ｃが設けられている。更に、操作部５１の上板内側には復帰バネ５２の上端を保持するための２個の突起５１ｄ（図１９参照）が設けられている。
【０００８】
２個のコイル状復帰バネ５２は、常時伸長方向に付勢されており、それらの上端は操作部５１の突起５１ｄにより固定され、それらの下端は後述するカバー５３の底部に設けられた２個の突起５３ｂにより固定されている。
【０００９】
カバー５３は、図１７〜図２１に示すように、より更に詳細に解かるように、前半部と後半部とで機能が分かれている。後半部は図１９に示すように、突起５３ｂにより復帰バネ５２の下端を保持するとともに、操作部５１の後端部と結合する機能を有する。
【００１０】
カバー５３の前半部は、図２１に示すように、ケース６９の蓋の役割を持ちプランジャー５４を覆っている。カバー５３の最前部に設けられた傾斜部５３ｄは、その内部でプランジャー５４の尖った先端部５４ｄが前後に動くための空間を形成している。
【００１１】
カバー５３の左右側板は、図１７及び図１８に示すように、ケース６９の左右の側板の外側に被せられ、２個の貫通孔５３ｅにケース６９の２個の爪６９ａが嵌合することによりカバー５３とケース６９とは結合するようになっている。
【００１２】
プランジャー５４は、図１６に示すように、棒部５４ａと、この棒部５４ａの後端に固定された後部ブロック５４ｂと、棒部５４ａの前端に固定された矩形の台状（下駄状）部材５４ｃと、この台状部材５４ｃの前部に一体成形された先端が尖ったほぼ三角形の先端部５４ｄと、台状部材５４ｃの後部において下方へ突き出た第１の突起５４ｇと、台状部材５４ｃの下面に取り付けられたガイド板５５の中央から下方へ突き出る突起５５ａ（図２１参照）と、パッキン５４ｆとからなる。
【００１３】
後部ブロック５４ｂの左右側面には回転軸５４ｅが形成されており、操作部５１の軸受穴５１ｂと嵌合している。操作部５１の回動運動は軸受穴５１ｂを通じて後部ブロック５４ｂに伝達される。棒部５４ａは後部ブロック５４ｂの前後方向の動作を台状部材５４ｃに伝達する。
【００１４】
先端部５４ｄは、台状部材５４ｃの左右方向中央部材から突き出た側面がほぼ鋭角三角形の板状部材であり、その上面を横から見た輪郭はカバー５３の傾斜部５３ｄの内面と合致するようになっている。先端部５４ｄの下面は段差のある２つの水平面とそれら２つの水平面を繋ぐ傾斜面とを有している。即ち、先端から中央部までの第１の水平面と、第１の水平面の終端から下方へ広がる直線的な第１の傾斜面と、第１の傾斜面の終端から続く第２の水平面と、第２の水平面の終端から上方へ狭まり台状部材５４ｃに至る第２の傾斜面とで形成されている。
【００１５】
先端部５４ｄの下面の上記形状は、後述するストッパ部材５９の先端と常に当接しており、これによりストッパ部材５９の上下運動を支配する機能を有すると共に接点のオン／オフのタイミングと重大な関係を有する。
【００１６】
プランジャー５４の第１の突起５４ｇは、後述する反転部材５８の突起５８ｅを動かす役割をする。ガイド板５５に係合した突起５５ａはプレート５６ａと係合することにより反転バネ５７の上端と連結されている。
【００１７】
パッキン５４ｆは、棒部５４ａを通す中心穴を有し、カバー５３とケース６９の接合面に嵌め込まれプランジャー５４の前後方向の動きによるスイッチ内部への塵埃の侵入を防止する。
【００１８】
ガイド板５５は、プランジャー５４の台状部材５４ｃの下面の歯の間に嵌めこまれる矩形板であり、その中央に設けられた四角い開口孔５５ｂに突起５５ａ（図２１参照）を係合させ、この突起５５ａの先端がプレート５６ａと係合している。
【００１９】
２個の円板状のプレート５６ａ、５６ｂのうちの上方のプレート５６ａは、中央に突起５５ａ（図２１参照）よりやや大きい直径の窪みを有している。この窪みに突起５５ａの先端が接することによりプレート５６ａは独楽のように自在に傾斜することができるようになっている。プランジャー５４の前後方向の動きは突起５５ａからプレート５６ａを通じて反転バネ５７の上端に伝達される。
【００２０】
２個の円板状のプレート５６ａ、５６ｂのうちの下方のプレート５６ｂは、その中央に反転部材５８に設けられた突起よりやや大きい直径の窪みを有している。この窪みに反転部材５８の突起の丸い先端を接することによりプレート５６ｂは独楽のように自在に傾斜することができるようになっている。
【００２１】
コイル状の反転バネ５７は、２個のプレート５６ａ、５６ｂ間に所定の圧力で挟設されており、プレート５６ａがプランジャー５４により動かされると前後方向に曲がりスプリング力を蓄積する。最もスプリング力を蓄積した状態を反転ポイントという。
【００２２】
反転部材５８は、カバー５３の左右方向内幅より小さい長さを有する矩形状の板を長さ方向と直角方向に円弧状に曲げて形成された湾曲板５８ａと、この湾曲板５８ａの内面にプレート５６ｂの直径よりやや大きな間隔で直設された左右２枚の隔板５８ｂと、湾曲板５８ａの中心部分の外面に沿って設けられた細長いピニオン５８ｃと、２枚の隔板５８ｂの各上端部に設けられた突起５８ｄと、ピニオン５８ｃの後端部に一体成形された突起５８ｅと、２個の隔板５８ｂの中間部に形成された上記ピニオン５８ｃとの前端部に一体成形された突起５８ｆとからなる。
【００２３】
２枚の隔板５８ｂは反転バネ５７を収容する。ピニオン５８ｃは後述するアクチュエータ６１のラック部６１ａと噛合することにより、反転部材５８の回動運動をアクチュエータ６１の直線運動に変換する機能を有する。突起５８ｄはカバー５３の上面内側に設けられた２つの穴と係合し、これにより反転部材５８の回転中心を形成している。
【００２４】
反転部材５８は、反転バネ５７により常に圧力を受けている。この圧力は、反転バネ５７の反転ポイントにおいて最も大きい。
【００２５】
ストッパ部材５９は、Ｌ形の部材であってその垂直部分はケース６９の最前部の左右方向中央に設けられた垂直溝にスライド自在に嵌め込まれている。この垂直部の上端面には後方へ下がる傾斜面５９ｂが形成されている。この上端面はプランジャー５４の先端部５４ｄの上記下面と当接している。
【００２６】
ストッパ部材５９の水平部はケース６９の底面に平行に後方へ突き出している。水平部の先端部の上面には前から後へ下がる傾斜を持つ鉤部５９ａが一体成形されている。この鉤部５９ａはアクチュエータ６１のロック部８５（図２１参照）と係合することになる。
【００２７】
ストッパバネ６０は、ストッパ部材５９の垂直部の下部に設けられた穴に収納され、常にストッパ部材５９を上方へ付勢する機能を有する。従って、ストッパ部材５９は、プランジャー５４が前後に動くと、先端部５４ｄの下面の形状に従って上下運動を行う。
【００２８】
即ち、図２１に示すように、ストッパ部材５９の垂直部の上端がプランジャー５４の先端部５４ｄの下面の第２の水平面と当接している時はストッパ部材５９はストッパバネ６０に反して押下げられているが、先端部５４ｄが後方へ移動するにつれストッパバネ６０の伸長力により垂直部の先端は第１の傾斜面に沿って上昇する。そして、垂直部の上端が先端部５４ｄの第１の水平面に当接している間はストッパ部材５９は上方に止まる。
【００２９】
なお、上記先端部５４ｄの下面の水平面及び傾斜面の各長さは、ストッパ部材５９の鉤部５９ａとアクチュエータ６１のロック部８５との係合時間、即ち、スイッチオフ時の接点離反のタイミングを考慮して設計されている。
【００３０】
アクチュエータ６１は、上記反転部材５８のピニオン５８ｃと噛合するラック部６１ａと、ラック部６１ａの左右両側に固定された２個の箱状のガイド部６１ｂと、この２個のガイド部６１ｂの各前端にそれぞれ取り付けられた２個の可動接片６５と、これら可動接片６５の前面上下にそれぞれ取り付けられた左右２個づつ合計４個の可動接点６４ａ、６４ｂと、箱状のガイド部６１ｂの中に収容され可動接片６５を後方から押圧する接圧バネ６６と、ラック部６１ａの下面に一体成形されたアクチュエータガイドのロック部８５（図２１参照）とを有している。
【００３１】
上記構成からなるアクチュエータ６１は、ケース６９に前後方向に敷設されたアクチュエータガイドの上を反転部材５８に駆動され可動接片６５を伴って前後方向に水平移動することにより本発明に係るスイッチの本来機能である接点切替機能を有する。即ち、アクチュエータ６１が前方向に移動すると可動接片６５の可動接点６４ａ、６４ｂは後述する固定接点６３及び６７と接触し、後方向に移動すると可動接点６４ａ、６４ｂは固定接点６３、６７から離れることになる。
【００３２】
２個の端子６２は、ケース６９の内空の前壁の下部両側に固定されている。固定接点６３は、各端子６２の端子穴に後方を向いて固定されている。この２個の固定接点６３は、アクチュエータ６１の４個の可動接点６４ａ、６４ｂの内の下方の２個の接点６４ｂと対応する。
【００３３】
一方、アクチュエータ６１の４個の可動接点６４ａ、６４ｂの内の上方の２個の接点６４ａと対応する２個の固定接点６７は２個の端子６８の前端部に後ろを向いて固定されている。この端子６８は、図１６に示すように、Ｚ字状のアームを有し、そのアームの下端部はケース６９の最後部の左右下部に固定され、その上端部は前方上方へ伸びており、ここに上記固定接点６７が固定されている。
【００３４】
ケース６９は箱状をなし、内空部は前壁と後壁と側壁に囲まれている。側壁は２重になっており、この２枚の側板の間に端子６８のアームが収容されるようになっている。
【００３５】
可動接点６４ａ、６４ｂと固定接点６３、６７との接触は上記プランジャー５４、反転部材５８、アクチュエータ６１等の連携動作からなるスイッチの接触機構により遅入速断で行われる。
【００３６】
以下、上記スイッチの接触機構の動作を図２２〜図３２を参照しながら説明する。なお、図２２〜図３２の各図において（１）、（２）は同一の状態における断面を示し、（１）は主として可動接点と固定接点の位置関係を示し、（２）は反転部材５８及びアクチュエータ６１の位置関係を示している。
【００３７】
図２２において、スイッチが操作されていない初期状態において、復帰バネ５２のバネ力によりプランジャー５４は矢印Ａの方向に付勢されている。しかし、プランジャー５４の先端部５４ｄはカバー５３の内壁により抑えられているので動くことはできない。この状態で、反転部材５８は反転バネ５７により押圧され反時計方向に付勢され、従って、アクチュエータ６１はＢ方向へ付勢されているがいずれも動くことはできない。
【００３８】
図２３に示すように、操作部５１を操作し矢印Ｃ方向に動かすと、プランジャー５４の後部ブロック５４ｂはＤ方向に引っ張られ、従って、台状部材５４ｃ及びこの台状部材５４ｃの下部に設置されたガイド板５５に係合されている突起５５ａもＤ方向に引っ張られる。そこで、突起５５ａがプレート５６ａを後方へ押して反転バネ５７を圧縮し始める。しかし、まだ反転部材５８には現状を保持する方向に力が掛かっている。
【００３９】
図２４に示すように、操作部５１を更にＣ方向に動かすと、プランジャー５４は更にＤ方向に動かされ、プランジャー５４の先端部５４ｄの下面に沿ってストッパ部材５９が上昇する。プランジャー５４が更にＤ方向に動くと、プランジャー５４の突起５４ｇと反転部材５８の突起５８ｅとが当接する。この時反転部材５８はまだ反転バネ５７により現状を保つ方向に押圧されている。
【００４０】
操作部５１を更にＣ方向に動かすと、図２５に示すように、プランジャー５４は更にＤ方向に引っ張られプランジャー５４の突起５４ｇが反転部材５８の突起５８ｅを後方へ押す。反転部材５８は矢印Ｅの方向に回動し、反転部材５８のピニオン５８ｃと噛合しているラック部６１ａが矢印Ｆ方向に水平移動する。その結果、可動接点６４ａ、６４ｂと固定接点６３、６７との接点ギャップは縮小する。しかし、反転バネ５７が、まだ反転ポイントを超えていないため、反転部材５８は完全に反転しない。
【００４１】
操作部５１を更にＣ方向に動かすと、図２６に示すように、プランジャー５４は更にＤ方向に引っ張られ、従って、ガイド板５５に係合されている突起５５ａは反転バネ５７の上端をＤ方向へ引っ張る。そこで反転バネ５７の蓄積エネルギーは反転ポイントに到達する。
【００４２】
反転バネ５７の反転ポイントにおいて反転バネ５７の伸長力により反転部材５８は矢印Ｅ方向に強く回動する。それに伴いアクチュエータ６１も矢印Ｆ方向に強く前進し、その結果、ロック部８５がストッパ部材５９の鉤部５９ａの斜面をストッパバネ６０の圧力に抗して乗り越えていく。そして、アクチュエータ６１はその先端面８９がケース６９の壁に当接する位置まで動いて停止する。
【００４３】
この時、可動接点６４ａ、６４ｂと固定接点６３、６７は接触し、スイッチはオンとなる。しかも、可動接点６４はアクチュエータ６１内の接圧バネ６６により可動接点６４の接触圧力を保持する。この場合、接点ギャップが十分小さくなってからオンとなるのでバウンシングは非常に小さくなる。
【００４４】
なお、接圧バネ６６の圧力よりも反転バネ５７が反転部材５８を押圧する圧力の方が強くなるように設定されているから、アクチュエータ６１が矢印Ｆ方向と反対、即ち、可動接点６４ａ、６４ｂと固定接点６３、６７との接触圧が減少する方向に動くことはない。
【００４５】
図２７は操作部５１を一杯に押したフルストロークの状態を示す。この時、反転部材５８は矢印Ｅ方向、アクチュエータ６１は矢印Ｆ方向へ付勢された状態を維持し、また、可動接点６４ａ、６４ｂは接圧バネ６６を圧縮する状態を保持し、可動、固定接点間の接点圧は一定に保持されているため振動等に影響されることはない。
【００４６】
次に、スイッチオフのため図２８に示すように操作部５１を押圧する力を減少すると、復帰バネ５２の力により操作部５１は矢印Ｈ方向に動くと同時にプランジャー５４の後部ブロック５４ｂが矢印Ｉ方向へ押される。すると、ガイド板５５に係合している突起５５ａがプレート５６ａを前方へ押圧することにより反転バネ５７を圧縮し始める。しかし、この状態では、反転部材５８はまだそのまま矢印Ｅ方向に付勢されたまま保持される。
【００４７】
図２９に示すように、操作部５１が矢印Ｈ方向に更に動いて来ると、プランジャー５４は更に矢印Ｉ方向へ動き、その結果反転バネ５７の反転ポイントに近づく。この付近の位置になると、アクチュエータ６１の接圧バネ６６の力と相まって、反転部材５８は一気に反転する方向に付勢されようとすると共に、可動接点６４ａ、６４ｂと固定接点６３、６７との間の接点圧を減少させようとする。
【００４８】
しかし、このようにアクチュエータ６１を後方へ動かそうとする力が働いても、ストッパバネ６０により押圧されているストッパ部材５９の鉤部５９ａとアクチュエータ６１のロック部８５との係合による施錠状態により、アクチュエータ６１は後方へ動くことはできない。従って、可動接点６４ａ、６４ｂと固定接点６３、６７との間の接点圧は保持されたままとなる。
【００４９】
図３０は更に操作部５１が矢印Ｈ方向に動いた状態を示す。この状態では、反転バネ５７は反転ポイントを越えて反転部材５８を矢印Ｋ方向に回動させようとするが、図２９の場合と同様に、ストッパ部材５９の鉤部５９ａとアクチュエータ６１のロック部８５との係合による施錠状態によりアクチュエータ６１は後方へ動くことはできず、従って、スイッチオンの状態が維持される。
【００５０】
また、プランジャー５４が矢印Ｉ方向へ動くに従い、先端部５４ｄの下面の形状に沿ってストッパ部材５９の上端がストッパバネ６０の弾力に抗して徐々に下降する。
【００５１】
図３１に示すように、操作部５１が更に矢印Ｈ方向に動くと、プランジャー５４が矢印Ｉ方向に動き、先端部５４ｄの下面の傾斜面がストッパ部材５９の上端をストッパバネ６０の弾力に抗して押圧し、その結果、ストッパ部材５９の鉤部５９ａが降下してロック部８５を施錠状態から解除する。
【００５２】
この時、上述のように、既に反転バネ５７は反転ポイントを越えてエネルギーが最大に蓄積しているため、アクチュエータ６１が開放されたことにより反転部材５８は瞬間的に矢印Ｋ方向に回動し、ピニオン５８ｃと噛合しているアクチュエータ６１を矢印Ｊ方向へ急激に動かす。これにより、可動接点６４ａ、６４ｂと固定接点６３、６７との間は急速に離れスイッチオフ状態となり、図２２に示すような初期状態にもどる。
【００５３】
このスイッチは、可動接点６４ａ、６４ｂと固定接点６３、６７との接点が離れる時、仮に軽溶着を起こした場合でも、スイッチの寿命で完全溶着しない限り下記のように接点を引き離す強制引き離し機構も有している。
【００５４】
可動接点６４ａ、６４ｂと固定接点６３、６７が軽接着した場合、図３２に示すように、操作部５１が矢印Ｈ方向に動きプランジャー５４が矢印Ｉ方向に動き、プランジャー５４の先端部５４ｄの下面がストッパ部材５９を下方に押し込み、その結果、鉤部５９ａとロック部８５との間のロック状態が解除され、しかも、反転バネ５７が反転ポイントを越えたにも関わらずスイッチがオフすることができない状態となる。
【００５５】
しかし、プランジャー５４が復帰バネ５２の力により矢印Ｉ方向へ更に押され、その結果、プランジャー５４の突起５４ｉと反転部材５８の突起５８ｆとが当接し反転部材５８を矢印Ｋ方向に回動させる。そこで、アクチュエータ６１は反転部材５８により矢印Ｊ方向に動かされ、可動接点６４ａ、６４ｂは固定接点６３、６７から引き離される。
【特許文献１】特開２００３−１６２９３０号公報（第５頁〜８頁  第５図）
【発明の開示】
【発明が解決しようとする課題】
【００５６】
しかしながら、従来技術で説明したスイッチは、ＡＣ及びＤＣの大電流用に適するような構造となっているが、相当数の開閉操作を行うと接点が消耗し、接点表面が荒れ、接触が不安定になってしまうという問題がある。
従って、開閉操作を相当行って接点が荒れ、接触が不安定になっても良好な接点状態を維持できるような接点機構に解決しなければならない課題を有する。
【課題を解決するための手段】
【００５７】
上記課題を解決するために、本願発明のトリガースイッチは、次に示す構成にすることである。
【００５８】
（１）トリガースイッチは、開口面を有すると共に箱状に形成されたケース内に同一方向を向いて配置された一対の固定接点と、前記一対の固定接点と接触／離反する可動接点及び該可動接点を後方から押圧する押圧バネを有するアクチュエータと、前記アクチュエータを駆動する回動自在な反転部材と、前記反転部材に一端を接続され他端をプランジャーに係合するコイル状の反転ポイントを持つ反転バネと、前記プランジャーを動かす操作部とを有し、前記操作部を押圧／解除することにより前記可動接点を前記一対の固定接点に接触／離反させてスイッチオン／オフとするバネ反転型スイッチにおいて、スイッチオン時に、反転ポイント前に前記アクチュエータを一定量動かして接点間隔を縮めておきその後、前記反転部材が反転することにより前記可動接点を前記一対の固定接点に接触させると共に、前記アクチュエータに備えた補助接点が前記一対の固定接点のうち一方の固定接点と連設されている摺動板部と他方の固定接点と連設されている摺動板部とを跨ぐようにして電気的に接触させ、スイッチオフ時に、前記反転ポイント前に前記アクチュエータの動きを制止しておき、その後反転ポイント後に前記アクチュエータの制止を解除することにより前記可動接点を前記固定接点から離反すると共に、前記アクチュエータに備えた補助接点が前記一対の固定接点のうち一方の固定接点と連設されている摺動板部と他方の固定接点と連設されている摺動板部とを跨ぐようにして電気的に接触させた状態から外すことである。
（２）前記反転部材に形成されたピニオンと、前記アクチュエータに形成されたラックとを備えることを特徴とする（１）に記載のトリガースイッチ。
（３）前記プランジャーに設けられた突起と、前記反転部材に設けられた突起とを備え、前記操作部を押圧した時前記プランジャーの突起が前記反転部材の突起を押圧して前記反転バネの力に抗して前記反転部材を回動させることにより前記アクチュエータを動かし前記可動接点を固定接点に接近させることを特徴とする（１）に記載のトリガースイッチ。
（４）前記プランジャーの先端部の下面に設けられたゆるやかな段差を持つ面と、該段差面と常に当接するストッパ部材と、該ストッパ部材に設けられた鉤部と、該ストッパ部材を上方に付勢するストッパバネと、前記アクチュエータに設けられた突起とを備え、前記ストッパ部材は前記プランジャーの段差面に沿って動くことにより前記ストッパ部材の鉤部と該アクチュエータの突起との係合状態を施錠状態又は開放状態に置くことを特徴とする（１）に記載のトリガースイッチ。
（５）スイッチオンの時、前記ストッパ部材は上昇しており、前記アクチュエータの突起は前記ストッパ部材の鉤部の上を乗り越えて進み可動接点と固定接点とを接触させ、その時、前記鉤部と前記アクチュエータの突起との係合状態は施錠状態となることを特徴とする（２）に記載のトリガースイッチ。
（６）前記施錠状態において、操作部をスイッチオフの方向に動かし前記プランジャーを動かし、前記反転バネの反転ポイントを越えても前記プランジャーの先端部の下面の形状によりしばらく解放状態にならず、更に前記反転バネが反転ポイントを越えて操作部をスイッチのオフ方向に動かした時、前記プランジャーの先端部の下面によりストッパ部材は下降し前記ロック手段は解放状態となり、その結果、前記アクチュエータは即座に移動し、可動接点は固定接点から瞬時に離れスイッチオフとなることを特徴とする（１）に記載のトリガースイッチ。
【発明の効果】
【００５９】
本発明のトリガースイッチは、バネ反転型の速入速断機能を活用して、スイッチオン時にはバネの反転ポイント前に可動接点を固定接点に十分接近させておき反転ポイント後に速入するタイミングに合わせて、一対の固定接点に連設している摺動板部を補助接点が導通状態にすることで、補助接点は電位のない状態で導通状態にすることができ、これで可動接点と固定接点間の接点状態に変化が生じても、この補助接点で良好に接点状態を維持することができるため、結果として固定接点と可動接点との接点状態を良好に維持することができる。
【発明を実施するための最良の形態】
【００６０】
本願発明に係るトリガースイッチの実施形態について、図面を参照して説明する。尚、従来技術で説明したものと同じものには同一符号を付与して説明する。
【実施例１】
【００６１】
本願発明のトリガースイッチは、従来技術で説明したトリガースイッチと略同一形状をなし、特に外観は同じ形態であるので、従来技術で引用した図面を参照して説明し、相違するのはアクチュエータに補助接点を備えると共に固定接点を有する端子の板部を長く形成することで補助接点がこの板部を跨いで導通を図る構成にした点において相違する。これら相違点を中心にして説明し、その他の詳細については従来技術で説明したものを参照にする。なお、説明において図面に向かって左側をスイッチの前、右側をスイッチの後ろとする。
【００６２】
本願発明のトリガースイッチ５０は、図１に示すように、手の握力で操作できる操作部５１と、操作部５１の内部に収容されている２個の復帰バネ５２と、操作部５１の操作状態を伝達する機構であるプランジャー５４を内部に収容してなるカバー５３と、操作部５１の操作状態をアクチュエータ６１に伝達するプランジャー５４と、反転部材５８を反転ガイドするガイド板５５と、反転バネ５７の両端に備える２枚のプレート５６ａ、５６ｂと、反転部材５８を操作部５１の操作状態に基づいて反転させる反転バネ５７と、アクチュエータ６１を回動方向と同一方向に直線移動させる反転部材５８と、アクチュエータ６１を可動接片６５ａ、６５ｂが接触した状態にしてロックするストッパ部材５９と、ストッパバネ６０と、反転部材５８の回動動作に基づいて回動方向と同一方向に直線移動するアクチュエータ６１と、外部と電気的に接続する２個の第１、第２の端子６２Ａ、６２Ｂと、２個の固定接点６３Ａ、６３Ｂと、可動接片６５ａ、６５ｂに２個づつ取り付けられ合計して４個の可動接点６４ａ、６４ｂと、可動接点６４ａ、６４ｂを備え接圧バネ６６ａ、６６ｂで常時付勢されている２個の可動接片６５ａ、６５ｂと、可動接片６５ａ、６５ｂを常時付勢した状態に維持する２個の接圧バネ６６ａ、６６ｂと、第３、第４の端子６８Ａ、６８Ｂに設けた２個の固定接点６７Ａ、６７Ｂと、外部と電気的に接続する２個の第３、第４の端子６８Ａ、６８Ｂと、絶縁性部材で形成され上部開口の箱型形状に形成されたケース６９とを備えて構成されている。
【００６３】
上記各部品を図１に示す一点鎖線で示すように組み立てると、図２〜図６に示すようなスイッチが形成される。以下、図１、図２、図３、図１７、図１８、図２１を参照しながら、各部品の構成及び機能並びに各部品と他の部品との関係について説明する。
【００６４】
操作部５１はトリガースイッチ５０の使用者の手によって操作される部分であり、上から押圧すればスイッチオンとなり、離せばスイッチオフとなるようになっている。
【００６５】
この操作部５１は、手の形に彎曲した上面と、この上面と一体形成された左右側面及び前面と、開放された後面及び下面とからなり、全体として中空のケース状に形成されている。操作部５１の後部の左右側面には２つの穴５１ａが設けられており、カバー５３の最後部に設けられた突起５３ａと係合しこれにより操作部５１とカバー５３とを連結する。
【００６６】
また操作部５１の左右側面には、２つの軸受穴５１ｂが設けられており、ここには後述するプランジャー５４の回転軸５４ｅが回動自在に嵌合する。また操作部５１の両側面には使用の便宜上瓢箪形の貫通孔５１ｃが設けられている。更に、操作部５１の上板内側には復帰バネ５２の上端を保持するための２個の突起５１ｄ（図２参照）が設けられている。
【００６７】
２個のコイル状復帰バネ５２は、常時伸長方向に付勢されており、それらの上端は操作部５１の突起５１ｄ（図２参照）により固定され、それらの下端は後述するカバー５３の底部に設けられた２個の突起５３ｂ（図２参照）により固定されている。
【００６８】
カバー５３は、図１、図２〜図３に示すように、前半部と後半部とで機能が分かれている。後半部は図２及び図３に示すように、突起５３ｂにより復帰バネ５２の下端を保持するとともに、操作部５１の後端部と結合する機能を有する。
【００６９】
カバー５３の前半部はケース６９の蓋の役割を持ちプランジャー５４を覆っている。カバー５３の最前部に設けられた傾斜部５３ｄは、その内部でプランジャー５４の尖った先端部５４ｄが前後に動くための空間を形成している。
【００７０】
カバー５３の左右側板は、図１７及び図１８に示すように、ケース６９の左右の側板の外側に被せられ、２個の貫通孔５３ｅにケース６９の２個の爪６９ａが嵌合することによりカバー５３とケース６９とは結合するようになっている。
【００７１】
プランジャー５４は、図１、図２及び図３に示すように、棒部５４ａと、この棒部５４ａの後端に固定された後部ブロック５４ｂと、棒部５４ａの前端に固定された矩形の台状（下駄状）部材５４ｃと、この台状部材５４ｃの前部に一体成形された先端が尖ったほぼ三角形の先端部５４ｄと、台状部材５４ｃの後部において下方へ突き出た第１の突起５４ｇと、台状部材５４ｃの下面に取り付けられた金属製のガイド板５５の中央から下方へ突き出る突起５５ａ（図３参照）と、パッキン５４ｆとからなる。
【００７２】
後部ブロック５４ｂの左右側面には回転軸５４ｅ（図１参照）が形成されており、操作部５１の軸受穴５１ｂと嵌合している。操作部５１の回動運動は軸受穴５１ｂを通じて後部ブロック５４ｂに伝達される。棒部５４ａは後部ブロック５４ｂの前後方向の動作を台状部材５４ｃに伝達する。
【００７３】
先端部５４ｄは、台状部材５４ｃの左右方向中央部材から突き出た側面がほぼ鋭角三角形の板状部材であり、その上面を横から見た輪郭はカバー５３の傾斜部５３ｄの内面と合致するようになっている。先端部５４ｄの下面は段差のある２つの水平面とそれら２つの水平面を繋ぐ傾斜面とを有している。即ち、先端から中央部までの第１の水平面と、第１の水平面の終端から下方へ広がる直線的な第１の傾斜面と、第１の傾斜面の終端から続く第２の水平面と、第２の水平面の終端から上方へ狭まり台状部材５４ｃに至る第２の傾斜面とで形成されている。
【００７４】
先端部５４ｄの下面の上記形状は、後述するストッパ部材５９の先端（傾斜面５９ｂ）と常に当接しており、これによりストッパ部材５９の上下運動を支配する機能を有すると共に接点のオン／オフのタイミングと重大な関係を有する。
【００７５】
ガイド板５５に係合した突起５５ａはプレート５６ａと係合することにより反転バネ５７の上端と連結されている。
【００７６】
パッキン５４ｆは、棒部５４ａを通す中心穴を有し、カバー５３とケース６９の接合面に嵌め込まれプランジャー５４の前後方向の動きによるスイッチ内部への塵埃の侵入を防止する。
【００７７】
ガイド板５５は、プランジャー５４の台状部材５４ｃの下面の歯の間に嵌めこまれる矩形板であり、その中央に設けられた四角い開口孔５５ｂに突起５５ａ（図３参照）を係合させ、この突起５５ａの先端がプレート５６ａと係合している。
【００７８】
２個の円板状のプレート５６ａ、５６ｂのうちの上方のプレート５６ａは、中央に突起５５ａ（図２１参照）よりやや大きい直径の窪みを有している。この窪みに突起５５ａの先端が当接することによりプレート５６ａは独楽のように自在に傾斜することができるようになっている。プランジャー５４の前後方向の動きは突起５５ａからプレート５６ａを通じて反転バネ５７の上端に伝達される。
【００７９】
２個の円板状のプレート５６ａ、５６ｂのうちの下方のプレート５６ｂは、その中央に反転部材５８に設けられた突起よりやや大きい直径の窪みを有している。この窪みに反転部材５８の突起の丸い先端を接することによりプレート５６ｂは独楽のように自在に傾斜することができるようになっている。
【００８０】
コイル状の反転バネ５７は、２個のプレート５６ａ、５６ｂ間に所定の圧力で挟設されており、プレート５６ａがプランジャー５４により動かされると前後方向に曲がりスプリング力を蓄積する。最もスプリング力を蓄積した状態を反転ポイントという。
【００８１】
反転部材５８は、カバー５３の左右方向内幅より小さい長さを有する矩形状の板を長さ方向と直角方向に円弧状に曲げて形成された湾曲板５８ａと、この湾曲板５８ａの内面にプレート５６ｂの直径よりやや大きな間隔で直設された左右２枚の隔板５８ｂと、湾曲板５８ａの中心部分の外面に沿って設けられた細長いピニオン５８ｃと、２枚の隔板５８ｂの各上端部に設けられた突起５８ｄとからなる。
【００８２】
２枚の隔板５８ｂは反転バネ５７を収容する。ピニオン５８ｃは後述するアクチュエータ６１のラック部６１ｃと噛合することにより、反転部材５８の回動をアクチュエータ６１の前後方向の直線運動に変換する機能を有する。突起５８ｄはカバー５３の上面内側に設けられた２つの穴と係合し、これにより反転部材５８の回転中心を形成している。
【００８３】
反転部材５８は、反転バネ５７により常に圧力を受けている。この圧力は、反転バネ５７の反転ポイントにおいて最も大きい。
【００８４】
ストッパ部材５９は、全体がＬ字形状に形成され、その垂直部分はケース６９の最前部の左右方向中央に設けられた垂直溝にスライド自在に嵌め込まれている。この垂直部の上端面には後方へ下がる傾斜面５９ｂが形成されている。この上端面はプランジャー５４の先端部５４ｄの上記下面と当接している。
【００８５】
ストッパ部材５９の水平部はケース６９の底面に平行に後方へ突き出している。水平部の先端部の上面には前から後へ下がる傾斜を持つ鉤部５９ａが一体成形されている。この鉤部５９ａはアクチュエータ６１のロック部８５（図５参照）と係合することになる。
【００８６】
ストッパバネ６０は、ストッパ部材５９の垂直部の下部に設けられた穴に収納され、常にストッパ部材５９を上方へ付勢する機能を有する。従って、ストッパ部材５９は、プランジャー５４が前後に動くと、先端部５４ｄの下面の形状に従って上下運動を行う。
【００８７】
即ち、例えば、図２に示すように、ストッパ部材５９の垂直部の上端がプランジャー５４の先端部５４ｄの下面の第２の水平面と当接している時はストッパ部材５９はストッパバネ６０に反して押下げられているが、先端部５４ｄが後方へ移動するにつれストッパバネ６０の伸長力により垂直部の先端は第１の傾斜面に沿って上昇する。そして、垂直部の上端が先端部５４ｄの第１の水平面に当接している間はストッパ部材５９は上方に止まる。
【００８８】
なお、上記先端部５４ｄの下面の水平面及び傾斜面の各長さは、ストッパ部材５９の鉤部５９ａとアクチュエータ６１のロック部８５との係合時間、即ち、スイッチオフ時の接点離反のタイミングを考慮して設計されている。
【００８９】
アクチュエータ６１は、図１、図４及び図５に示すように、上記反転部材５８のピニオン５８ｃと噛合する水平方向にラック８８を並べて形成されたラック部６１ｃと、ラック部６１ｃの左右両側に一体成形された２個の箱状のガイド部６１ａ、６１ｂと、この２個のガイド部６１ａ、６１ｂの各前端にそれぞれ取り付けられた可動接片６５ａ、６５ｂと、これら可動接片６５ａ、６５ｂの前面上下にそれぞれ取り付けられた左右２個づつ合計４個の可動接点６４ａ、６４ｂと、箱状のガイド部６１ａ、６１ｂの中に収容され可動接片６５ａ、６５ｂを後方から押圧する接圧バネ６６ａ、６６ｂと、ガイド部６１ａ、６１ｂの下部位置下面に一体成形された補助接点８３ａ、８３ｂを補助バネ８４ａ、８４ｂのバネ圧で付勢した状態で係合する補助接点係合部６１ｄ、６１ｅを備えた構成になっている。そして、このガイド部６１ａ、６１ｂの可動接片６５ａ、６５ｂを接圧バネ６６ａ、６６ｂの付勢力で常時付勢されて保持されている先端部分が先端係止部８９ａ、８９ｂであり、可動接片６５ａ、６５ｂの可動接点６４ａ、６４ｂが固定接点６３Ａ、（６３Ｂ）、６７Ａ（、６７Ｂ）（図１４参照）に接触してから更に押し込まれて接圧バネ６６ａ、６６ｂによる付勢力を強くしたときのストッパとしての機能を有する。
ラック部６１ｃの底面には、ストッパ部材５９の鉤部５９ａとロックするための片側傾斜した凸部で形成したロック部８５（図５参照）を設け、同じ底面でロック部８５と反対側の端部に係合凸部８６を設けた構造となっている。このロック部８５と係合凸部８６とで挟まれた底面には別部材のスライダー８７を取り付ける構造となっている。
【００９０】
補助接点８３ａ、８３ｂは、導電性部材で略コ字状に形成されており、そのコ字状の片方端部が補助接点係合部６１ｄ、６１ｅの係合孔８９に挿入されたときに、抜止めできる鍔を先端部に形成され、中央端部の外面が接触片として機能すると共に内面に補助バネ８４ａ、８４ｂを係合するようにして、補助接点係合部６１ｄ、６１ｅに片持ち状態で係合する構造となっている。
【００９１】
上記構成からなるアクチュエータ６１は、ケース６９に前後方向に敷設されたアクチュエータガイドの上を反転部材５８に駆動され可動接点６４ａ、６４ｂを伴って前後方向に水平移動することにより本発明に係るスイッチの本来機能である接点切替機能を有する。即ち、アクチュエータ６１が前方向に移動すると可動接点６４ａ、６４ｂは後述する固定接点６３Ａ及び６７Ａと接触し、後方向に移動すると可動接点６４ａ、６４ｂは固定接点６３Ａ、６７Ａから離れることになる。
【００９２】
第１の端子６２Ａは、図６に示すように、導電性部部材をＬ字状に折り曲げて形成されており、中央に螺合孔９０ａを有する平板に形成した外部接続端子部９０ｂを備え、その外部接続端子部９０ｂを直角に折り曲げて形成された基部９０ｃ、この基部９０ｃの左側端部を更に直角に折り曲げて係合板部９０ｄを形成し、更にその折り曲げた係合板部９０ｄと連設する面を直角に折り曲げて接点６３Ａを備えた接点部９０ｅとし、この接点部９０ｅの下部端を更に直角方向に折り曲げて補助接点摺動板部８１Ａを形成した構成となっている。
第２の端子６２Ｂは、第１の端子６２Ａと対称な形状になっており、導電性部部材をＬ字状に折り曲げて形成されており、中央に螺合孔９０ａを有する平板に形成した外部接続端子部９０ｂを備え、その外部接続端子部９０ｂを直角に折り曲げて形成された基部９０ｃ、この基部９０ｃの右側端部を更に直角に折り曲げて係合板部９０ｄを形成し、更にその折り曲げた係合板部９０ｄと連設する面を直角に折り曲げて接点６３Ｂを備えた接点部９０ｅとし、この接点部９０ｅの下部端を更に直角方向に折り曲げて補助接点摺動板部８１Ｂを形成した構成となっている。
第３の端子６８Ａは、接点６７Ａを有する平板の接点部９０ｅを有し、この接点部９０ｅの左端部を直角方向に折り曲げて折り曲げ部分を係合板部９０ｄとし、この係合板部９０ｄに連設した略四角形状の平板部９０ｆを形成し、この平板部９０ｆの接点部９０ｅより最遠の位置の端部を直角に折り曲げて補助接点摺動板部８２Ａを形成し、この補助接点摺動板部８２Ａの右端部を直角に折り曲げて外部端子を螺合する螺合孔９０ａを有する外部接続端子部９０ｂを備えた構成になっている。
第４の端子６８Ｂは、第３の端子６８Ａと対称な形状になっており、接点６７Ｂを有する平板の接点部９０ｅを有し、この接点部９０ｅの右端部を直角方向に折り曲げ、この折り曲げ部分を係合板部９０ｄとし、この係合板部９０ｄに連設した略四角形状の平板部９０ｆを形成し、この平板部９０ｆの接点部９０ｅより最遠の位置の端部を直角に折り曲げて補助接点摺動板部８２Ｂを形成し、この補助接点摺動板部８２Ｂの右端部を直角に折り曲げて外部端子を螺合する螺合孔９０ａを有する外部接続端子部９０ｂを備えた構成になっている。
【００９３】
ケース６９は、図６に示すように、上述した固定接点６３Ａ、６３Ｂ、６７Ａ、６７Ｂを備えた第１〜第４の端子６２Ａ、６２Ｂ、６８Ａ、６８Ｂを配置固定し、かつ可動接点６４ａ、６４ｂを備えたアクチュエータ６１を収容して直線状に動かすもので、絶縁性樹脂で形成され上部を開口にした箱状に形成され、その内部は、第１〜第４の端子６２Ａ、６２Ｂ、６８Ａ、６８Ｂを収納することができる４つの部屋が形成されており、第１の端子６２Ａの外部接続端子部９０ｂを外側に配置する支持壁９１ａを備え、長手方向の内壁９２ａとこの支持壁９１ａと、中央に設けた線条の凸部を形成するアクチュエータガイド９３とで挟まれた空間が第１の端子収容部９４を形成する。この第１の端子収容部９４とアクチュエータガイド９３を超えた隣接する位置が同じく長手方向の内壁９２ｂと、支持壁９１ｂ、アクチュエータガイド９３で挟まれた空間に第２の端子収容部９５を形成する。
そして、第１の端子収容部９４と対向する位置で、第３の端子６８Ａの外部接続端子部９０ｂを外側に向け、アクチュエータガイド９３と内壁９２ａとで挟まれた空間に第３の端子収容部９６を形成する。
更に、第２の端子収容部９５と対向する位置で、第４の端子６８Ｂの外部接続端子部９０ｂを外側に向け、アクチュエータガイド９３と内壁９２ｂとで挟まれた空間に第４の端子収容部９７を形成する。
このような構成からなるケース６９に第１〜第４の端子６２Ａ、６２Ｂ、６８Ａ、６８Ｂを係合固定するには、先ず、図７に示すように、第１の端子６２Ａを第１の端子収容部９４に収容する。即ち、第１の端子６２Ａの外部接続端子部９０ｂを内壁９２ａのスリットに係合させて押し込むことで固定接点６３Ａが内側を向いた状態で配置固定される。
【００９４】
次に、図８に示すように、第２の端子６２Ｂを第２の端子収容部９５に収容する。即ち、第２の端子６２Ｂの外部接続端子部９０ｂを内壁９２ｂのスリットに係合させて押し込むことで固定接点６３Ｂが内側を向いた状態で配置固定される。更に、第３の端子６８Ａを第３の端子収容部９６に収容する。即ち、第３の端子６８Ａの外部接続端子部９０ｂを内壁９２ａのスリットに係合させて押し込むことで固定接点６７Ａが内側を向いた状態で配置固定される。
次に、図９に示すように、第４の端子６８Ｂを第４の端子収容部９７に収容する。即ち、第４の端子６８Ｂの外部接続端子部９０ｂを内壁９２ｂのスリットに係合させて押し込むことで固定接点６７Ｂが内側を向いた状態で配置固定される。
このようにして４つの端子６２Ａ、６２Ｂ、６８Ａ、６８Ｂをケース６９内に収納固定することにより、固定接点６３Ａ、６３Ｂ、６７Ａ、６７Ｂが同一方向を向いた状態で配置され、且つ補助接点が摺動する補助接点摺動板部８１Ａ、８１Ｂ、８２Ａ、８２Ｂをケース６９の底面に配置される。この状態で、アクチュエータをケース６９の開口部から入れることにより可動接点が固定接点に対峙した状態で配置され、且つ補助接点が補助接点摺動板部の上部に接触した状態で配置される。
【００９５】
可動接点６４ａ、６４ｂと固定接点６３、６７との接触は上記プランジャー５４、反転部材５８、アクチュエータ６１等の連携動作からなるスイッチの接触機構により遅入速断で行われる。
【００９６】
以下、本発明に係る上記スイッチの接触機構の動作を図１０〜図１４を参照しながら説明する。
【００９７】
図１０において、スイッチが操作されていないＯＦＦの状態のときは、復帰バネ５２のバネ力によりプランジャー５４は矢印Ａの方向に付勢されている。しかし、プランジャー５４の先端部５４ｄはカバー５３の内壁により抑えられているので動くことはできない。この状態で、反転部材５８は反転バネ５７により押圧され反時計方向に付勢され、従って、アクチュエータガイド９３にのっているアクチュエータ６１はＢ方向へ付勢されているがいずれも動くことはできない。このとき、補助接点８３ａは、第３の端子６８Ａの補助接点摺動板部８２Ａ上に接触した状態を維持して停止している。同じく、図示していないが、補助接点８３ｂも、第４の端子６８Ｂの補助接点摺動板部８２Ｂ上に接触した状態を維持して停止している。
【００９８】
この状態で、操作部５１を引き込んでＣ方向に動かすと、図１１に示すように、プランジャー５４はＤ方向に引っ張られることにより、反転部材５８の反転バネ５７の上部端に位置する突起５５ａが同じＤ方向（図で右方向）へ引っ張る。そこで反転バネ５７の蓄積エネルギーは反転ポイントに到達する。
【００９９】
反転バネ５７の反転ポイントにおいて反転バネ５７の伸長力により反転部材５８は矢印Ｅ方向に強く回動する。反転部材５８が矢印Ｅの方向（図で左方向）に回動すると、反転部材５８のピニオン５８ｃと噛合しているラック部６１ｃのラック８８が矢印Ｅ方向に水平移動する。その結果、可動接点６４ａ、６４ｂと固定接点６７Ａ、６３Ａとが接触する。このとき、いまだ補助接点８３ａは第３の端子６８Ａの補助接点摺動板部８２Ａとケース６９の仕切り部分とに接触した状態である。また、ストッパ部材５９の鉤部５９ａの上部にアクチュエータ６１のロック部８５が載った状態となっているため、固定接点６７Ａ、６３Ａと可動接点６４ａ、６４ｂの接触状態は操作部５１の押し込み操作具合に基づくもので接触状態はロックされていないし、又、接圧バネ６６ａによる可動接点６４ａ、６４ｂの付勢力は常時の付勢力である。
【０１００】
更に操作部が押し込まれると、図１２に示すように、固定接点６７Ａ、６３Ａと可動接点６４ａ、６４ｂが接触した状態でアクチュエータ６１がさらに水平移動することにより、接圧バネ６６ａが圧縮され、固定接点６７Ａ、６３Ａと可動接点６４ａ、６４ｂの接触圧が更に強まる。同時に補助接点８３ａが第３の端子６８Ａの補助接点摺動板部８２ａと第１の端子６２Ａの補助接点摺動板部８１ａとを跨いだ状態になり接触させる。このとき固定接点６７Ａ、６３Ａと可動接点６４ａ、６４ｂは接触しているため、補助接点摺動板部８１ａ、８２ａの間には電位がないため補助接点にはアークが発生しないため接点荒れも発生しない。
【０１０１】
更に、操作部５１が押し込まれると、図１３に示すように、今度は補助接点８３ａで補助接点摺動板部８２Ａと補助接点摺動板部８１Ａとを接触した状態にして、鉤部５９Ｃにロック部８５が嵌まり込んでアクチュエータ６１の水平方向の押す方向の動きをロック状態にすることで、固定接点と可動接点は接圧バネ６６ａによる付勢力を一定状態に維持してロックされた状態の接触を維持することできる。
【０１０２】
更に、操作部５１を押し込んでフルストロークの場合には、図１４に示すように、アクチュエータ６１が水平方向に動いて鉤部５９Ｃとロック部８５の状態は少々外れるが、ロック状態は維持された状態であり、固定接点６７Ａ、６３Ａと可動接点６４ａ、６４ｂの接触状態は維持され、且つ補助接点８３ａの接触状態も維持された状態を保持する。
このようにして、操作部５１がオンされた状態が維持されると、固定接点６７Ａ、６３Ａと可動接点６４ａ、６４ｂがロックされた状態が維持され且つ補助接点８３ａが摺動板部８１Ａ、８２Ａを跨いだ状態で電気的に接触した状態を維持することができるのである。
【０１０３】
さて、操作部５１を押し込んでフルストロークの状態から手の押し込んでいる状態を緩めて操作部５１を離す方向に動かすと、操作部５１に設けてある復帰バネ５２の復帰により操作部が元の状態に戻ろうとし、プランジャー５４の先端部５４ｄが図において左方向に動きストッパー部５９の頂部の傾斜面５９ｂを押す。そうすると、ストッパ部５９の鉤部５９ｃとロックされているロック部８５が外れ、接圧バネ６６ａ、６６ｂの復帰力により固定接点６７Ａ、６３Ａと可動接点６４ａ、６４ｂの接点状態が外れる方向に動く。この状態のときに更に操作部５１が元の状態に戻るとプランジャー５４に引っ張られて反転部材５８が元の状態に回動反転することで固定接点６７Ａ、６３Ａと可動接点が離反する。
但し、可動接点６４ａ、６４ｂと固定接点６７Ａ、６３Ａが離れる前に、補助接点８３ａは摺動板部８１Ａ、８２Ａを跨いだ電気的に接触している状態からアクチュエーター６１が動くことで補助接点８３ａが動くため、摺動板部８１Ａ、８２Ａの間には電位がないため補助接点８３ａにはアークが発生しないため、接点荒れも発生しない。
【０１０４】
以上、操作部５１を操作することで固定接点６７Ａ、６３Ａと可動接点６４ａ、６４ｂを接触させ、且つ補助接点８３ａを接触させることを時系列に説明したが、補助接点８３ａを加えたこと以外のスイッチの接続機構は従来技術で説明したものと同様であるので説明不足のものはそちらの説明したもので補充することができる。
【０１０５】
図１５に示すものは、本願発明のトリガースイッチ５０を備えた電動工具を示したもので、片手の把持する位置にトリガースイッチ５０を収納し、外部からＡＣ電圧を供給するようにし、トリガースイッチ５０を操作することでモータＭを回転させ、変速ギヤＧを通じて回転させる。
【産業上の利用可能性】
【０１０６】
バネ反転型の速入速断機能を活用して、スイッチオン時にはバネの反転ポイント前に可動接点を固定接点に十分接近させておき反転ポイント後に速入するタイミングに合わせて、一対の固定接点に連設している摺動板部を補助接点が導通状態にすることで、補助接点は電位のない状態で導通状態にすることができ、これで接点間の接点状態に変化が生じても、この補助接点で良好に接点状態を維持することができるため、結果として固定接点と可動接点との接点状態を良好に維持することができるトリガースイッチを提供する。
【図面の簡単な説明】
【０１０７】
【図１】本発明に係るトリガースイッチの一実施例の分解斜視図である。
【図２】同、トリガースイッチの横一部断面図である。
【図３】同、トリガースイッチの横一部断面図である。
【図４】同、トリガースイッチを構成する一部のアクチュエータの斜視図である。
【図５】同、トリガースイッチを構成する一部のアクチュエータの斜視図である。
【図６】同、トリガースイッチを構成する一部のケースの斜視図である。
【図７】同、トリガースイッチを構成するケースに端子を収納する様子を示した説明図である。
【図８】同、トリガースイッチを構成するケースに端子を収納する様子を示した説明図である。
【図９】同、トリガースイッチを構成するケースに端子を収納する様子を示した説明図である。
【図１０】同、操作部がＯＦＦ時のスイッチの状態を示した説明図である。
【図１１】同、操作部を操作して接点が接触したときのスイッチの状態を示した説明図である。
【図１２】同、操作部を操作して接点が接触したときに更に押し込んで補助接点が摺動板部を電気的に接触させた状態を示した説明図である。
【図１３】同、操作部を操作して接点が接触し更に補助接点が接触させて、更に押し込んでストッパーがロックした状態を示す説明図である。
【図１４】同、操作部を操作してフルストロークの状態を示した説明図である。
【図１５】同、トリガースイッチを備えた電動工具を示した説明図である。
【図１６】従来技術におけるトリガースイッチの分解斜視図である。
【図１７】トリガースイッチの側面図である。
【図１８】トリガースイッチの全体斜視図である。
【図１９】従来技術におけるトリガースイッチの横一部断面図である。
【図２０】従来技術におけるトリガースイッチの横一部断面図である。
【図２１】従来技術におけるトリガースイッチの接触機構の横一部断面図である。
【図２２】従来技術におけるトリガースイッチの接触機構の動作を説明する横一部断面図である。
【図２３】従来技術におけるトリガースイッチの接触機構の動作を説明する横一部断面図である。
【図２４】従来技術におけるトリガースイッチの接触機構の動作を説明する横一部断面図である。
【図２５】従来技術におけるトリガースイッチの接触機構の動作を説明する横一部断面図である。
【図２６】従来技術におけるトリガースイッチの接触機構の動作を説明する横一部断面図である。
【図２７】従来技術におけるトリガースイッチの接触機構の動作を説明する横一部断面図である。
【図２８】従来技術におけるトリガースイッチの接触機構の動作を説明する横一部断面図である。
【図２９】従来技術におけるトリガースイッチの接触機構の動作を説明する横一部断面図である。
【図３０】従来技術におけるトリガースイッチの接触機構の動作を説明する横一部断面図である。
【図３１】従来技術におけるトリガースイッチの接触機構の動作を説明する横一部断面図である。
【図３２】従来技術におけるトリガースイッチの接触機構の動作を説明する横一部断面図である。
【符号の説明】
【０１０８】
５０      トリガースイッチ
５１      操作部
５１ａ    穴
５１ｂ    軸受穴
５１ｃ    貫通孔
５１ｄ    突起
５２      復帰バネ
５３      カバー
５３ａ    突起
５３ｂ    突起
５３ｄ    傾斜部
５３ｅ    貫通孔
５４      プランジャー
５４ａ    棒部
５４ｂ    後部ブロック
５４ｃ    台状部材
５４ｄ    先端部
５４ｅ    回転軸
５４ｇ    第１の突起
５４ｆ    パッキン
５５      ガイド板
５５ａ    突起
５５ｂ    開口孔
５６ａ    プレート
５６ｂ    プレート
５７      反転バネ
５８      反転部材
５８ａ    湾曲板
５８ｂ    隔板
５８ｃ    ピニオン
５８ｄ    突起
５９      ストッパ部材
５９ａ    鉤部
６０      ストッパバネ
６１      アクチュエータ
６１ａ    ガイド部
６１ｂ    ガイド部
６１ｃ    ラック部
６１ｄ    補助接点係合部
６１ｅ    補助接点係合部
６２Ａ    第１の端子
６２Ｂ    第２の端子
６３Ａ    固定接点
６３Ｂ    固定接点
６４ａ    可動接点
６４ｂ    可動接点
６５ａ    可動接片
６５ｂ    可動接片
６６ａ    接圧バネ
６６ｂ    接圧バネ
６７Ａ    固定接点
６７Ｂ    固定接点
６８Ａ    第３の端子
６８Ｂ    第４の端子
６９      ケース
６９ａ    爪
８１Ａ    摺動板部
８２Ａ    補助接点摺動板部
８２Ｂ    補助接点摺動板部
８３ａ    補助接点
８３ｂ    補助接点
８４ａ    補助バネ
８４ｂ    補助バネ
８５      ロック部
８６      係合凸部
８７      スライダー
８８      ラック
８９ａ    先端係止部
８９ｂ    先端係止部
９０ａ    螺合孔
９０ｂ    外部接続端子部
９０ｃ    基部
９０ｄ    係合板部
９０ｅ    接点部
９１ａ    支持壁
９１ｂ    支持壁
９２ａ    内壁
９３      アクチュエータガイド
９４      第１の端子収容部
９５      第２の端子収容部
９６      第３の端子収容部
９７      第４の端子収容部
【図１】
0004611177.tif 000002
【図２】
0004611177.tif 000003
【図３】
0004611177.tif 000004
【図４】
0004611177.tif 000005
【図５】
0004611177.tif 000006
【図６】
0004611177.tif 000007
【図７】
0004611177.tif 000008
【図８】
0004611177.tif 000009
【図９】
0004611177.tif 000010
【図１０】
0004611177.tif 000011
【図１１】
0004611177.tif 000012
【図１２】
0004611177.tif 000013
【図１３】
0004611177.tif 000014
【図１４】
0004611177.tif 000015
【図１５】
0004611177.tif 000016
【図１６】
0004611177.tif 000017
【図１７】
0004611177.tif 000018
【図１８】
0004611177.tif 000019
【図１９】
0004611177.tif 000020
【図２０】
0004611177.tif 000021
【図２１】
0004611177.tif 000022
【図２２】
0004611177.tif 000023
【図２３】
0004611177.tif 000024
【図２４】
0004611177.tif 000025
【図２５】
0004611177.tif 000026
【図２６】
0004611177.tif 000027
【図２７】
0004611177.tif 000028
【図２８】
0004611177.tif 000029
【図２９】
0004611177.tif 000030
【図３０】
0004611177.tif 000031
【図３１】
0004611177.tif 000032
【図３２】
0004611177.tif 000033